(57)【要約】【課題】無線ＩＣタグを利用して日常携行品、あるいは、他人の衣類の混入を防止する。【解決手段】物品１００、１１０に添付された無線ＩＣタグ１２０ａ、１２０ｂを読み取る読取手段５と、報知手段３と、記憶手段２と、制御手段４と、からなる衣類収納庫１であって、読取手段５で無線ＩＣタグ１２０ａ、１２０ｂを読み取り、物品１１０が衣類以外であった場合は、制御手段４は報知手段６より異物混入の旨を報知して、物品１００が衣類であって、記憶手段２に記憶されていない場合には、報知手段３より未登録衣類である旨を報知するようにした。【選択図】図２
2008206632.tif 000002
【特許請求の範囲】
【請求項１】
物品に添付された無線ＩＣタグを読み取る読取手段と、報知手段と、記憶手段と、制御手段を具備した衣類収納庫において、前記読取手段で前記無線ＩＣタグを読み取り、前記物品が衣類以外であった場合は、前記制御手段は前記報知手段より異物混入の旨を報知して、前記物品が衣類であって前記記憶手段に記憶されていない場合には、前記報知手段より未登録衣類である旨を報知する衣類収納庫。
【請求項２】
時間を検知する時計手段を具備し、前記未登録衣類であることを示す報知を行った一定時間後にも継続して前記読取手段で前記無線ＩＣタグを読み取れた場合、前記読み取れた情報を、前記記憶手段に登録衣類として記憶させる請求項１記載の衣類収納庫。
【請求項３】
前記無線ＩＣタグには、前記衣類の適用年齢または性別に関する情報が含まれていて、前記記憶手段に登録されている他の衣類の情報と比較して差異があった場合には、前記報知手段より差異があった旨を報知する請求項１〜２のいずれか１項に記載の衣類収納庫。
【請求項４】
前記衣類収納庫が、衣類を出し入れするための開口部と、前記開口部を閉じるための扉と、前記扉の開閉状態を検知する開閉スイッチとを具備し、前記開閉スイッチで前記扉が閉じられたことを検知したときに前記読取手段を作動させる請求項１〜３のいずれか１項に記載の衣類収納庫。
【請求項５】
前記衣類収納庫と前記扉とを電磁波遮断物質で構成、あるいは、覆った請求項４項に記載の衣類収納庫。
【請求項６】
請求項１〜５のいずれか１項に記載の衣類収納庫の少なくとも一部をコンピュータに実行させるためのプログラム。
【発明の詳細な説明】
【技術分野】
【０００１】
本発明は、無線ＩＣタグを利用して日常携行品、あるいは、他人の衣類の混入を防止する衣類収納庫と、そのプログラムに関するものである。
【背景技術】
【０００２】
近年、無線ＩＣタグ（非接触ＩＣタグ）を物品に貼り付けておき、無線ＩＣタグ読み取り／書込み手段を収納庫に設置して在庫管理を行うことが行なわれており、更には収納庫内の環境情報を無線ＩＣタグに書込んで保存状態を記録する方式が提案されている（例えば、特許文献１参照）。
【特許文献１】特開２００６−３１６５２５号公報
【発明の開示】
【発明が解決しようとする課題】
【０００３】
しかしながら、前記従来の構成は、物品管理といった用途であって、一般的な家庭での使用を主眼においたものではない。
【０００４】
例えば、財布、定期入れ、名刺入れ、携帯電話のようにタンスなどの衣類収納庫に収納すべきではないものを検知して使用者に注意を喚起するといったような日常生活上の不便さを解消するようなことは提案されていない。
【０００５】
すなわち、財布などをズボンのポケットに入れたことに気がつかないまま衣類収納庫に収納してしまい、次の日の朝に慌ててそれらを探し回るといった経験は誰しも思い当たるところであり、衣類収納庫に収納すべきではない物品が衣類のポケットに間違って入れたままで衣類収納庫に収納されてしまうといった過ちを排除するものではなかった。
【０００６】
さらに、財布だけでなく、靴下、シャツなどのアンダーウエアなどは、本人以外には見分けがつけにくく、例えば、お母さんが洗濯物を衣類収納庫に収納する際に、息子さんの靴下をお父さんの衣類収納庫に収納してしまうといった間違いは日常的に起こりうるが、こういったことを防ぐような提案はなされていなかった。
【課題を解決するための手段】
【０００７】
そこで、前記従来の課題を解決するために、本発明の衣類収納庫は、物品に添付された無線ＩＣタグを読み取る読取手段と、報知手段と、記憶手段と、制御手段を具備した衣類収納庫において、前記読取手段で前記無線ＩＣタグを読み取り、前記物品が衣類以外であった場合は、前記制御手段は前記報知手段より異物混入の旨を報知して、前記物品が衣類であって、前記記憶手段に記憶されていない場合には、前記報知手段より未登録衣類である旨を報知するようにした。
【発明の効果】
【０００８】
これにより、衣類収納庫に収納すべきではない物品を衣類のポケットに間違って入れたままで衣類収納庫に収納されようとした場合に報知するので、財布、定期入れ、名刺入れ、携帯電話のように衣類収納庫に収納してはいけない物品をズボンのポケットに入れたことに気がつかないまま衣類収納庫に収納してしまい、次の日の朝に慌てて物品を探し回るといったことを、回避することができるものである。
【０００９】
さらに、財布だけでなく、靴下、シャツなどのアンダーウエアなどは、本人以外には見分けがつけにくく、例えば、お母さんが洗濯物を衣類収納庫に収納する際に、息子さんの
靴下をお父さんの衣類収納庫に収納してしまうといった間違いを未然に防ぐことが出来る。
【発明を実施するための最良の形態】
【００１０】
第１の発明は、衣類収納庫は、物品に添付された無線ＩＣタグを読み取る読取手段と、報知手段と、記憶手段と、制御手段を具備した衣類収納庫において、前記読取手段で前記無線ＩＣタグを読み取り、前記物品が衣類以外であった場合は、前記制御手段は前記報知手段より異物混入の旨を報知して、前記物品が衣類であって、前記記憶手段に記憶されていない場合には、前記報知手段より未登録衣類である旨を報知するようにした。
【００１１】
これにより、衣類収納庫に収納すべきではない物品が衣類のポケットに間違って入れたままで衣類収納庫に収納されようとした場合に報知するので、財布、定期入れ、名刺入れ、携帯電話のように衣類収納庫に収納してはいけない物品をズボンのポケットに入れたことに気がつかないまま衣類収納庫に収納してしまい、次の日の朝に慌てて物品を探し回るといったことを、その場で回避することができるものである。
【００１２】
さらに、財布だけでなく、靴下、シャツなどのアンダーウエアなどは、本人以外には見分けがつけにくく、例えば、お母さんが洗濯物を衣類収納庫に収納する際に、息子さんの靴下をお父さんの衣類収納庫に収納してしまうといった間違いを未然に防ぐことが出来る。
【００１３】
第２の発明は、特に第１の発明において、一定時間を検知できる時計手段を具備し、未登録衣類であることを示す報知を行った一定時間後にも、継続して前記読取手段で前記無線ＩＣタグを読み取れた場合、前記読み取れた情報を、記憶手段に登録衣類として記憶させるようにした。
【００１４】
これにより、全く新規に購入した衣類（当然ながら未登録衣類である）を検出した場合には、一旦未登録という旨の報知をしたとしても、（使用者がその報知を無視して、）そのまま衣類収納庫に収納しておけば、自動的に登録衣類として記憶されるので、次回からは報知されることがなくなる。
【００１５】
第３の発明は、特に第１〜２いずれかの発明において、前記無線ＩＣタグに、衣類の適用年齢または性別に関する情報が含まれていて、前記記憶手段に登録されている他の衣類の情報と比較して差異があった場合には、前記報知手段より差異があった旨を報知するようにした。
【００１６】
これにより、衣類収納庫に間違った衣類が混入するのを防止することが期待できる。
【００１７】
第４の発明は、特に第１〜３いずれかの発明において、前記衣類収納庫が、衣類を出し入れするための開口部と、前記開口部を閉じるための扉と、前記扉の開閉状態を検知する開閉スイッチとを具備し、前記開閉スイッチで前記扉が開いていることを検知したときに前記読取手段を作動させるようにした。
【００１８】
これにより、衣類を収納するために、衣類収納庫の扉が閉じられた時点に、読取手段で無線ＩＣタグの情報を読み出すので、的確な報知を使用者に対して行うことが出来る。
【００１９】
第５の発明は、特に第４の発明において、衣類収納庫と、扉を電磁波遮断物質で構成、あるいは、覆った。
【００２０】
これにより、衣類収納庫の庫外に存在する無線ＩＣタグ（例えば、使用者が着用してい
る衣類の無線ＩＣタグ）と通信して誤報を出すといったことが回避できる。
【００２１】
第６の発明は、特に第１〜５いずれかの発明において、少なくともひとつの動作をコンピュータに実行させるためのプログラムであり、ＣＰＵ、ＲＡＭ、ＲＯＭ、記憶装置、Ｉ／Ｏなどを備えた電気情報機器、コンピュータ等のハードリソースを協働させて本発明の少なくとも一部をプログラムとして容易に実現することができる。また記録媒体に記録あるいは、通信回線を用いてプログラム配信することにより、プログラム配布が他の手段に比べて極めて簡単に実現できる。
【００２２】
以下、本発明の実施の形態について、図面を用いて一実施形態について詳細に説明する。なお、この実施の形態によって本発明が限定されるものではない。
【００２３】
（実施の形態１）
図１は本発明の衣類収納庫の構成一例を示す図である。
【００２４】
衣類収納庫１は、読み込んだ無線ＩＣタグの情報を記憶する記憶手段２と、使用者にさまざまな報知をする報知手段３と、全体の制御を行う制御手段４と、無線ＩＣタグの情報を読み取る読取手段５と、一定時間経過したことを示す時計手段６と、扉９の開閉を検知する開閉スイッチ７と、衣類などを出し入れするための開口部８と、扉９とを具備している。
【００２５】
衣類１００（例えばスラックス）には、無線ＩＣタグ１２０ａが添付されており、この無線ＩＣタグ１２０ａには、衣類(スラックス)であるといった情報が記録されている。
【００２６】
読取手段５によって、読み取られた無線ＩＣタグ１２０ａの情報は、制御手段４によって、衣類かどうか判定され、さらに記憶手段２の情報と比較されて、登録済みの情報と一致した場合には登録済み衣類として扱われ、もし、登録されていないということであれば、未登録の衣類が検知された旨を報知手段３より報知する。
【００２７】
この場合の報知は警報音であっても構わないし、光を発する視覚的なものであっても構わないし、バイブレーターのような振動であっても構わないし、衣類の情報を含む文字情報、あるいは、音声情報であっても構わない。
【００２８】
なお、これらの処理に関する詳細は、後ほど、図４を用いて説明する。
【００２９】
図２は、本発明の衣類収納庫の構成一例を示す図である。
【００３０】
図１と類似しているが、衣類１００のポケットには、定期入れ１１０が入っており、この定期入れ１１０には無線ＩＣタグ１２０ｂが添付されており、無線ＩＣタグ１２０ｂには、定期入れ（衣類以外）であるという情報が記録されている。
【００３１】
読取手段５に読み取られた情報は、制御手段４によって、衣類かどうか判定され、無線ＩＣタグ１２０ｂには、衣類以外（定期入れ）という情報が記録されているので、衣類以外の異物が混入された旨を報知手段３より報知する。
【００３２】
この場合の報知は、前述した未登録の衣類が検知された旨を報知する場合とは、明確に異なることが望ましく、混入した物品が定期入れであったといった情報を含めて、文字情報、あるいは、音声情報で報知しても構わない。
【００３３】
なお、上記同様にこれらの処理に関する詳細は、後ほど、図４を用いて説明する。
【００３４】
図３は、本発明の衣類収納庫の構成一例を示す図である。
【００３５】
衣類収納庫１の壁面、天井、底部のすべてと、扉９とを、アルミ箔、あるいは、金属などの電磁波遮断物質で覆った状態を示している。このようにしておくと、扉９が閉じられた時点で、衣類収納庫１の庫外とは電磁的に完全に遮断される。
【００３６】
すなわち、衣類収納庫１の外部に存在する衣類１００に添付された無線ＩＣタグ１２０ａとは、電磁的に遮断されてしまうので電磁波で通信することが出来なくなり、誤って衣類収納庫１の庫外に存在する無線ＩＣタグ１２０ａ（例えば、使用者が着用している衣類に添付された無線ＩＣタグ）を読み込んでしまうといった誤検出を回避することができる。
【００３７】
扉９が閉じられている時には、衣類収納庫１の中に収納されている無線ＩＣタグ１２０ａ、１２０ｂだけと通信可能となる。つまり、扉９が閉じられている時にだけ読取手段６を作動させて無線ＩＣタグ１２０ａ、１２０ｂの情報を読み取ることは、収納されている衣類１００だけを確実に検知するといった点でも非常に有効な手段である。
【００３８】
もちろん、扉９の開閉とは関係なく定期的（例えば１時間おき）に読み込むといった方法も考えられなくはないが、当方式のように衣類の保管状況が変わった時（扉９の開閉時）にだけ読み込むという方が、無駄な動作が減り効率的であり、省エネルギーなどにも貢献すると考えている。また、扉９が閉じられた直後に、迅速に判定を下して報知することが好ましい。
【００３９】
図４は本発明の衣類収納庫処理の流れを示しており、以下、図１と図２と図４を用いて、処理の流れを詳しく説明していく。
【００４０】
まず、図１のように無線タグ１２０ａだけが添付された物品（ここではスラックス）が、衣類収納庫１に収納されるケースを考えてみる。
【００４１】
無線ＩＣタグ１２０ａが添付された衣類１００を衣類収納庫１に収納するために、使用者は扉９を開く。この時、扉９の開閉に連動して開閉スイッチ５が作動して、扉９が開けられたことを検知して制御手段４に伝達される。扉９が開かれ、次に閉じられた時点で（ステップ３１）、読取手段５が作動して、無線ＩＣタグ１２０ａから情報の一括読取りを行う（ステップ３２）。
【００４２】
この一括読み取りとは、衣類収納庫１の中に存在する全ての無線ＩＣタグからの情報を繰り返して読み出すことであり、無線ＩＣタグの読取手段では一般的に行なわれていることである。
【００４３】
制御手段４は、読み出した情報の中身をひとつずつ調べていき、衣類かどうかの判定を行っていく（ステップ３３）。
【００４４】
無線ＩＣタグ１２０ａの情報は、それが添付されている物品に関する情報を含んでおり、どのような衣類であるか（例えば、シャツ、パンツ、スーツ、スラックス）、あるいは、衣類以外の情報（例えば、定期入れ、財布、携帯電話）であるかということを知ることが出来るようになっている。
【００４５】
もちろん、この限りではなく、無線ＩＣタグ１２０ａから得られる情報が、１２８ビット長のコードであって、そのコードを元に、制御手段が外部のデータベース(図示せず)よ
り、前述のような具体的な情報を得るといったことでももちろん構わないが、少なくとも無線ＩＣタグ１２０ａが添付されている物品が衣類であるか、否かが明確にわかるようになっていることが必要である。
【００４６】
その情報解析の結果、定期入れなどであって衣類ではないということが判定できれば（ステップ３３）、報知手段３より、衣類保管庫１の庫内に異物が混入した旨を報知することになる（ステップ３４）。
【００４７】
逆に、その情報解析の結果、衣類であると判定すれば（ステップ３３）、次に記憶手段２に記憶されている衣類かどうかを調査する（ステップ３５）。
【００４８】
その結果、登録されている衣類であるということがわかれば、登録済み衣類が収納されたということで何ら報知することもなく、次の無線ＩＣタグの情報を調べていく（ステップ３９）。
【００４９】
衣類であったが、未登録の衣類であったと判断した場合（ステップ３５）、報知手段３より、未登録の衣類を検知した旨を報知する(ステップ３６)。
【００５０】
この状態では、自分の所有物ではない衣類が混入した場合と、新規購入した未登録の衣類が収納された場合とが考えられる。
【００５１】
もし、前者であれば数秒程度で使用者が該当する衣類を取り出すことになるので、その衣類は一定時間経過後（例えば３０秒）には読めなくなるので、記憶手段２に登録せずに、次の処理に戻る(ステップ３７)。
【００５２】
もし、後者の場合であれば、使用者は報知を無視してそのままにしておくことで、その衣類は一定時間経過後（例えば３０秒）にも読めるので、記憶手段２に（新規衣類として）登録されることになり（ステップ３８）、それ以後は、その衣類に関しては報知しなくなる。
【００５３】
次に、図２のように無線タグ１２０ａと、無線ＩＣタグ１２０ｂが添付された物品（ここではスラックス１００と、定期入れ１１０）が、衣類収納庫１に収納されるケースを考えてみる。
【００５４】
上記で述べてきた情報の一括読み取りを行う（ステップ３２）時に、ここでは無線ＩＣタグ１２０ａと、無線ＩＣタグ１２０ｂとの情報が得られることになる。無線ＩＣタグ１２０ａに関する処理は上記で詳しく記述してきたとおりであるので省略し、以下では、定期入れ１１０と、無線ＩＣタグ１２０ｂについて述べていく。
【００５５】
無線ＩＣタグ１２０ｂの情報では、衣類以外の情報（例えば、定期入れ、財布、携帯電話）であるかということを知ることが出来る（ステップ３３）ので、報知手段３より、衣類保管庫１の庫内に異物が混入した旨を報知する（ステップ３４）。
【００５６】
以上が、本発明の衣類収納庫処理の流れに関する説明である。
【００５７】
この他にも、衣類に添付された無線ＩＣタグの情報として、適用年齢、あるいは、性別に関する情報が含まれていた場合には、既に記憶手段２に登録済みの情報と比較して、男性用衣類しか記憶されていないのに女性用衣類が収納されようとした場合、あるいは、大人用衣類しか記憶されていないのに子供用衣類が収納されようとした場合のように、明らかに、収納されようとしている衣類だけが異質であるといった場合にも、その旨を報知す
るといったことを行っても構わない。
【００５８】
もちろん、例えば制御手段４に、その衣類収納庫１を使用する人の年齢、あるいは、性別に関する情報が記録されていて、その情報と、無線ＩＣタグ１２０ａから読み出した情報とを比較して、矛盾点があれば、その旨を報知するといったことでもかまわないし、同様の効果が期待できる。
【００５９】
衣類収納についてのシステム化の範疇に属するので、ここでは詳しく述べないし、図示もしないが、複数の衣類収納庫が存在し、他の衣類収納庫の記憶手段に記憶されている衣類かどうかを、ネットワーク接続機能により問い合わせ、もし他の衣類収納庫の記憶手段に記憶されている衣類であれば、その旨を報知して、一定時間経過したとしても、自分の記憶手段に取り込まずに、報知を継続するといった複数連携型のサービスを行うような構成も考えられる。
【００６０】
読取手段５は電波を発して、その電波を受けた無線ＩＣタグ１２０は励起して情報を返答する所謂パッシブ型の無線ＩＣタグを想定しており、通信距離はＵＨＦ帯を用いた業務用の強力なもので１０メートル以下であり、一般的に用いられる１３．５６ＭＨｚ、あるいは、２．５４ＧＨｚ帯のものであれば数十センチ以下であることが多い。
【００６１】
読取手段５の読み取り能力を良くすることが好ましい場合には、読取手段５に接続するアンテナ部分を複数個設けて、開口部８、あるいは扉９の周辺に配置していき、通信領域を広げるといったことも考えられる。
【００６２】
もちろん、パッシブ型の無線ＩＣタグだけではなく、電池を内蔵したアクティブ型の無線ＩＣタグであっても構わないが、このようなアクティブ型の無線ＩＣタグを用いた場合には、通信距離は数十メートル以上に達することもあるので、衣類収納庫１から離れた場所にある無線ＩＣタグのＩＤ情報を読み取ってしまうような誤動作が生じてしまう。
【００６３】
このような誤動作を避けるために、衣類収納庫１と、扉９を電磁波遮断物質（例えばアルミ箔のような金属）で構成する、あるいはそのような物質で覆って、遠くまで電波が飛ばないようにすることも考えられる。
【００６４】
アクティブ型の無線ＩＣタグに限らず、パッシブ型の無線ＩＣタグであっても、前述したＵＨＦ帯の業務用で用いるような読取手段５（条件によっては１０ｍ程度離れていても通信する）を用いるのであればもちろんのこと、たとえ数十センチでしか通信できないような場合でも、同様の誤動作が起こる可能性は残るので、衣類収納庫１と、扉９を電磁波遮断物質（例えばアルミ箔のような金属）で構成する、あるいは、そのような物質で覆ってしまい、出来るだけ衣類収納庫１から外部へ電波が飛び散らないように考慮することが好ましい。
【００６５】
また、物品１１自身がクレジットカードやＩＣカード型定期券であって、それ自身が無線ＩＣタグの機能を具備していても、これまで述べてきた方式は有効であり、同等の効果が期待できる。
【００６６】
なお、開閉スイッチとは別に、重量センサを設けて、重量の変化を見るようにして読取手段を動作させても良い。
【００６７】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、
磁気メディアや光メディアなどの記録媒体に記録、もしくはインターネットなどの通信回線を用いて配信することで新しい機能の配布・更新やそのインストール作業が簡単にできる。
【産業上の利用可能性】
【００６８】
以上のように、本発明は、衣類収納庫に収納すべきではない物品が衣類のポケットに間違って入れたままで衣類収納庫に収納されようとした場合に報知する環境を使用者に提供することができる。なお、衣類の洗濯機、乾燥機であってもよい。
【図面の簡単な説明】
【００６９】
【図１】本発明の実施の形態１の衣類収納庫の構成を示す図
【図２】本発明の実施の形態１の衣類収納庫の構成を示す図
【図３】本発明の実施の形態１の衣類収納庫の構成を示す図
【図４】本発明の実施の形態１の衣類収納庫の処理の流れを示す図
【符号の説明】
【００７０】
１  衣類収納庫
２  記憶手段
３  報知手段
４  制御手段
５  読取手段
６  時計手段
７  開閉スイッチ
８  開口部
９  扉
１００  衣類
１１０  定期入れ
１２０ａ、１２０ｂ  無線ＩＣタグ
【図１】
2008206632.tif 000003
【図２】
2008206632.tif 000004
【図３】
2008206632.tif 000005
【図４】
2008206632.tif 000006